(57)【特許請求の範囲】
【請求項１】
開閉可能な構造部を有する移動通信機における消費電力抑制方法であって、
前記構造部の閉を検出すると、前記移動通信機の表示手段の表示に係る機能または操作手段の照明に係る機能の実行を停止する過程と、
前記閉検出後、所定時間の経過を条件として前記停止した機能の実行を許可する過程と、
を含むことを特徴とする消費電力抑制方法。
【請求項２】
前記所定時間の未経過時に前記構造部の開を検出する過程と、
この開検出後、前記操作手段が使用されたことを条件として前記許可を与える過程と、
をさらに含むことを特徴とする請求項１に記載の消費電力抑制方法。
【請求項３】
開閉可能な構造部を有する移動通信機であって、
前記構造部の閉を検出すると、自己の表示手段の表示に係る機能または操作手段の照明に係る機能の実行を停止し、前記閉検出後、所定時間の経過を条件として前記停止した機能の実行を許可する制御手段
を具備することを特徴とする移動通信機。
【請求項４】
前記制御手段は、
前記構造部の開または閉を検出する開閉検出手段と、
前記所定時間を計測するタイマと、
前記開閉検出手段の検出結果と前記タイマの計測状態とに基づいて、前記許可を示す制御信号を出力する制御信号出力手段と、
からなることを特徴とする請求項３に記載の移動通信機。
【請求項５】
前記制御手段は、
前記所定時間の未経過時における前記構造部の開検出後、前記操作手段が使用されたことを条件として前記許可を与える
ことを特徴とする請求項３または請求項４に記載の移動通信機。
【発明の詳細な説明】
【０００１】
【発明の属する技術分野】
本発明は、移動通信機の消費電力抑制に用いて好適な消費電力抑制方法、及び移動通信機に関する。
【０００２】
【従来の技術】
近年、携帯電話機やＰＨＳ（Personal Handy-phone System）端末機などの移動通信機においては、小型化して持ち運び安くするために、折り畳み型など、開閉可能な構造を有するものがある。
【０００３】
図４〜図６は、折り畳み型携帯電話機の外観を示す図であり、図４は全開状態を示し、図５は閉状態を示し、図６は半開状態の一例を示す。この図４〜図６に示す携帯電話機は開閉可能な構造部３１、３２を有している。構造部３１は携帯電話機の表示手段の表示画面３３を備えている。表示手段は表示画面３３へ文字や絵などを表示することに加えて、表示画面３３の表示に係る機能の一つとして表示画面３３の照明を行う。このために表示手段は表示画面３３の照明用にバックライトを備える。表示画面３３はこのバックライトにより、暗い場所などでも画面の表示が見やすくなるように照らされる。
【０００４】
また、構造部３２は携帯電話機の操作手段の各種キー（電話番号等の入力用のテンキー、各種ファンクションキー）を備えている。操作手段は各キーの照明に係る機能を有しており、この機能のために各キーの照明用にバックライトを備える。操作手段の各キーはこのバックライトにより、キーの文字が見やすくなるように照らされる。
【０００５】
従来の折り畳み型携帯電話機においては、図５のように閉状態になると自動的に上記バックライトを消灯し、図４や図６のように開状態になると自動的にバックライトを点灯する。また、表示画面３３の表示は開状態になると自動的になされる。ここで、図６に示すような半開状態においてもバックライトを点灯する理由は、半開状態でも利用者が表示画面３３の表示を見ることができるようにするためである。
【０００６】
【発明が解決しようとする課題】
ところで、上述した従来の折り畳み型携帯電話機では、図６に示すような半開状態においてもバックライトを点灯するために、どのような開状態の検出でもバッライトの点灯条件としているが、このために以下のような問題が生じている。
【０００７】
利用者の中には、癖などにより、使用の有無に関わらず折り畳み型携帯電話機の構造部３１、３２を無意識に開閉してしまう場合がある。このような場合でも、従来の折り畳み型携帯電話機はその開閉の度にバックライトを点灯し、この点灯に係る電力を消費する。また、同様に表示画面３３の表示も開状態になると自動的になされるので、この表示に係る電力も消費されてしまう。この結果、携帯電話機の電源である電池の使用可能な時間が短くなるという問題が生じる。
【０００８】
本発明は、このような事情を考慮してなされたもので、その目的は、移動通信機の照明または表示に係る消費電力を抑制可能な消費電力抑制方法、及び移動通信機を提供することにある。
【０００９】
【課題を解決するための手段】
上記の課題を解決するために、請求項１に記載の発明は、開閉可能な構造部を有する移動通信機における消費電力抑制方法であって、前記構造部の閉を検出すると、前記移動通信機の表示手段の表示に係る機能または操作手段の照明に係る機能の実行を停止する過程と、前記閉検出後、所定時間の経過を条件として前記停止した機能の実行を許可する過程とを含むことを特徴とする。
【００１０】
請求項２に記載の発明は、請求項１に記載の発明において、前記所定時間の未経過時に前記構造部の開を検出する過程と、この開検出後、前記操作手段が使用されたことを条件として前記許可を与える過程とをさらに含むことを特徴とする。
【００１１】
請求項３に記載の発明は、開閉可能な構造部を有する移動通信機であって、前記構造部の閉を検出すると、自己の表示手段の表示に係る機能または操作手段の照明に係る機能の実行を停止し、前記閉検出後、所定時間の経過を条件として前記停止した機能の実行を許可する制御手段を具備することを特徴とする。
【００１２】
請求項４に記載の発明は、請求項３に記載の発明において、前記制御手段は、前記構造部の開または閉を検出する開閉検出手段と、前記所定時間を計測するタイマと、前記開閉検出手段の検出結果と前記タイマの計測状態とに基づいて、前記許可を示す制御信号を出力する制御信号出力手段とからなることを特徴とする。
【００１３】
請求項５に記載の発明は、請求項３または請求項４に記載の発明において、前記制御手段は、前記所定時間の未経過時における前記構造部の開検出後、前記操作手段が使用されたことを条件として前記許可を与えることを特徴とする。
【００１４】
【発明の実施の形態】
以下、図面を参照し、本発明の一実施形態について説明する。
図１は、本発明の一実施形態による携帯電話機（移動通信機）の構成を示すブロック図である。この図において、符号１は回路各部を制御するＣＰＵ（中央処理装置）である。符号２はＣＰＵ１のプログラム等が記憶されたＲＯＭ（リードオンリメモリ）である。符号３はデータ一時記憶用のＲＡＭ（ランダムアクセスメモリ）である。符号４は電話番号等の入力用のテンキー、各種ファンクションキー等が設けられた操作部、符号５は液晶表示パネルおよび表示制御回路等から構成された表示部である。なお、ＲＡＭ３はバッテリバックアップが成されており、携帯電話機の電源がオフされても記憶されたデータは保持される。
【００１５】
符号６はアンテナ、符号７はアンテナ６を介して無線信号を送受信し、無線電話回線を確立するための通信制御を行う通信処理部である。符号８は、通信処理部７により確立された無線電話回線を介して送受される音声を処理する音声処理部である。符号９は音声処理部８に音声を入力するためのマイク、符号１０は音声処理部８から入力された音声を出力するスピーカである。符号１１は、ＣＰＵ１からの指示により着信音を発生し、スピーカ１２へ出力する着信音発生部である。符号１３は、操作部４の照明に係る機能の実行と表示部５の表示に係る機能の実行とを制御する制御部である。
【００１６】
図１に示す携帯電話機は、図４〜図６に示す外観の折り畳み型携帯電話機である。図４は全開状態を示し、図５は閉状態を示し、図６は半開状態の一例を示している。この図４〜図６に示すように、図１の携帯電話機は開閉可能な構造部（フォルダ）３１、３２を有している。フォルダ３１は表示部５の液晶パネルの表示画面３３を備えている。また、フォルダ３２は操作部４のテンキー、各種ファンクションキー等を備えている。
【００１７】
上記表示部（表示手段）５は表示画面３３の表示に係る機能を有する。この表示に係る機能は、表示画面３３へ文字や絵などを表示する機能（表示機能）と、該表示を見やすくするための機能（表示補助機能）を含む。この表示補助のために表示部５の液晶パネルは照明用のバックライトを有しており、このバックライトにより表示画面３３を照らし、暗い場所などでも画面の表示が見やすくなるようにする。
【００１８】
なお、液晶パネル以外の表示媒体によって表示画面を構成する場合には、該表示媒体に応じた表示補助機能が表示に係る機能の一つとなる。例えば、表示媒体自体が発光して表示を行う場合には、該発光強度を変化させる機能が表示補助機能に対応する。この発光して表示を行う表示媒体としては、エレクトロルミネセントディスプレイ（ＥＬＤ）やプラズマディスプレイ（ＰＬＤ）などがある。
【００１９】
また、操作部（操作手段）４は各キーの照明に係る機能を有する。このために操作部４は各キーの照明用にバックライトを有しており、このバックライトにより各キーを照らし、キーの文字が見やすくなるようにする。
【００２０】
なお、本実施形態においては、開閉可能な構造部を有する移動通信機として、図４〜図６に示すような折り畳み型携帯電話機を例として説明したが、蓋付き型のものであってもよい。この蓋付き型には、例えば、開閉可能な構造部として操作部を覆う蓋を誤操作防止用に有するものがある。
【００２１】
図２は、図１に示す制御部１３の構成を示すブロック図である。この図２において、符号２１はフォルダ３１、３２の開または閉を検出するフォルダ開閉検出部である。符号２２は所定時間を計測するタイマである。符号２３はフォルダ開閉検出部２１の検出結果とタイマ２２の計測状態とに基づいて、操作部４と表示部５に対し照明と表示の許可を示す制御信号Ａ２を出力する制御信号出力部である。また、この制御信号出力部２３は操作部４からキー割込み信号Ａ１を受取り、このキー割込み信号Ａ１に基づいた制御信号Ａ２の出力制御も行う。操作部４はフォルダ３２のいずれかのキーが使用されたことを条件としてキー割込み信号Ａ１を出力する。
【００２２】
図１に示すように、制御部１３は操作部４と表示部５に制御信号Ａ２を出力し、操作部４の照明に係る機能の実行と表示部５の表示に係る機能の実行とを制御する。操作部４は、制御信号Ａ２がＯＮ状態の場合に各キーのバックライトを点灯し、ＯＦＦ状態の場合には消灯する。表示部５は、制御信号Ａ２がＯＮ状態の場合に表示画面３３のバックライトを点灯し、また表示画面３３の表示を行う。一方、ＯＦＦ状態の場合には表示画面３３のバックライトを消灯し、表示画面３３の表示を未表示とする。
【００２３】
図２のフォルダ開閉検出部２１は、フォルダ３１、３２の開の検出を行うが、この開検出は閉状態から開状態になったことを検出するものである。この開状態とは、全開状態または閉状態のいずれでもない状態（半開状態）のことをいう。図６はこの半開状態の一例である。また、フォルダ開閉検出部２１はフォルダ３１、３２の閉の検出を行うが、この閉検出は閉状態になったことを検出するものである。
【００２４】
次に、図３を参照して、図２の制御部１３の動作を説明する。図３は、図２に示す制御部１３が行う消費電力抑制処理の流れを示すフローチャートである。
初めに、図１の携帯電話機は、例えば図４または図６に示すような開状態である。利用者が携帯電話機のフォルダ３１、３２を閉じ、開状態から閉状態にすると、フォルダ開閉検出部２１はこれを検出して制御信号出力部２３に閉検出を通知する。この通知により、制御信号出力部２３は制御信号Ａ２をＯＦＦにする（図３のステップＳ１、Ｓ２）。これにより、操作部４は各キーのバックライトを消灯する。表示部５は表示画面３３のバックライトを消灯し、表示画面３３の表示を未表示とする。
【００２５】
次いで、制御信号出力部２３はタイマ２２を起動する。このタイマ２２のタイムアウト後に、利用者が携帯電話機のフォルダ３１、３２を開け、フォルダ開閉検出部２１がこれを検出して制御信号出力部２３に開検出を通知すると、制御信号出力部２３は制御信号Ａ２をＯＮにする（図３のステップＳ３〜Ｓ６）。これにより、操作部４は各キーのバックライトを点灯する。表示部５は表示画面３３のバックライトを点灯し、表示画面３３の表示を行う。
【００２６】
一方、タイマ２２のタイムアウト前に、利用者が携帯電話機のフォルダ３１、３２を開け、フォルダ開閉検出部２１がこれを検出して制御信号出力部２３に開検出を通知した場合には、制御信号出力部２３は制御信号Ａ２をＯＦＦのままとする（図３のステップＳ７の判断結果が「ＹＥＳ」の場合）。したがって、操作部４は各キーのバックライトを消灯した状態を維持し、また表示部５は表示画面３３のバックライトを消灯し、表示画面３３の表示を未表示とした状態を維持することになる。
【００２７】
ここで、利用者が操作部４のいずれかのキーを使用すると、操作部４がキー割込み信号Ａ１を出力し、制御信号出力部２３はこのキー割込み信号Ａ１の入力を条件として制御信号Ａ２をＯＮにする（図３のステップＳ８、Ｓ９）。これにより、操作部４は各キーのバックライトを点灯し、また表示部５は表示画面３３のバックライトを点灯し、表示画面３３の表示を行う。
【００２８】
上述したように、本実施形態によれば、制御部１３がフォルダ３１、３２の閉を検出すると制御信号Ａ２をＯＦＦにし、操作部４の各キーのバックライトの点灯と、表示部５の表示画面３３のバックライトの点灯及び表示画面３３の表示とを停止する。次いで、その閉検出後、タイマ２２のタイムアウト（所定時間の経過）を条件として制御信号Ａ２をＯＮにし、操作部４の各キーのバックライトの点灯と、表示部５の表示画面３３のバックライトの点灯及び表示画面３３の表示とを許可する。
【００２９】
したがって、利用者が癖などにより、タイマ２２のタイムアウト前にフォルダ３１、３２を無意識に閉から開とした場合には、操作部４と表示部５のバックライトを消灯とし、また表示画面３３を未表示とする。これにより、携帯電話機の照明または表示に係る消費電力を抑制することが可能となる。一方、タイマ２２のタイムアウト後にフォルダ３１、３２を閉から開とした場合には、操作部４のバックライトを点灯し、また表示画面３３の表示を行うので、利用者は半開状態においても表示画面３３の表示を見ることができる。
【００３０】
さらに、本実施形態によれば、制御部１３がタイマ２２のタイムアウト前（所定時間の未経過時）におけるフォルダ３１、３２の開検出後、操作部４のいずれかのキーが使用されたことを条件として制御信号Ａ２をＯＮにし、操作部４の各キーのバックライトの点灯と、表示部５の表示画面３３のバックライトの点灯及び表示画面３３の表示とを許可する。
【００３１】
したがって、利用者が携帯電話機の使用を目的としてタイマ２２のタイムアウト前にフォルダ３１、３２を閉から開とした場合でも、その携帯電話機の使用の際に不具合を生じさせることはない。これは、閉検出後、所定時間の経過を条件として携帯電話機の操作部４の各キーのバックライトの点灯と、表示部５の表示画面３３のバックライトの点灯及び表示画面３３の表示とを許可することによって、照明または表示に係る消費電力の抑制を可能にしたことにより生じた新たな課題を解決するものである。この新たな課題とは、タイムアウト前にフォルダ３１、３２を閉から開とした場合には携帯電話機の使用を目的としていても照明または表示がなされないというものであり、本実施形態はこのような事態を防止することができるという優れた効果を奏するものである。
【００３２】
なお、上述した実施形態においては、制御部１３が操作部４の照明に係る機能の実行と表示部５の表示に係る機能の実行とを制御するようにしたが、操作部４または表示部５のいずれかを制御するようにしてもよい。また、表示部５の表示に係る機能の内、表示画面への表示機能または該表示を見やすくするための機能（表示補助機能）のいずれか片方の機能を制御するものであってもよい。ただし、消費電力をより多く抑制するという理由から、操作部４の照明に係る機能の実行と表示部５の表示に係る全機能（表示機能及び表示補助機能）の実行を制御することが望ましい。
【００３３】
なお、上述した実施形態においては、移動通信機として携帯電話機に適用した場合について説明したが、ＰＨＳ（Personal Handy-phone System）端末機や携帯情報端末機にも同様に適用可能である。
【００３４】
以上、本発明の実施形態を図面を参照して詳述してきたが、具体的な構成はこの実施形態に限られるものではなく、本発明の要旨を逸脱しない範囲の設計変更等も含まれる。
【００３５】
【発明の効果】
以上説明したように、本発明によれば、開閉可能な構造部の閉を検出すると、移動通信機の表示手段の表示に係る機能または操作手段の照明に係る機能の実行を停止し、この閉検出後、所定時間の経過を条件として該停止した機能の実行を許可する。したがって、利用者が癖などにより、所定時間の経過前に該構造部を閉から開とした場合には、表示手段の表示に係る機能の実行または操作手段の照明に係る機能の実行はなされないことになる。これにより、移動通信機の照明または表示に係る消費電力を抑制することができるという効果が得られる。
【００３６】
さらに、所定時間の未経過時に開閉可能な構造部の開検出後、操作手段が使用されたことを条件として、移動通信機の表示手段の表示に係る機能または操作手段の照明に係る機能の実行の許可を与えるようにすれば、利用者が携帯電話機の使用を目的として所定時間の経過前に該構造部を閉から開としたとしても、その携帯電話機の使用の際に不具合を生じさせることを防止することができるという効果が得られる。
【図面の簡単な説明】
【図１】  本発明の一実施形態による携帯電話機（移動通信機）の構成を示すブロック図である。
【図２】  図１に示す制御部１３の構成を示すブロック図である。
【図３】  図２に示す制御部１３が行う消費電力抑制処理の流れを示すフローチャートである。
【図４】  図１に示す携帯電話機の外観を示す第１の図である。
【図５】  図１に示す携帯電話機の外観を示す第２の図である。
【図６】  図１に示す携帯電話機の外観を示す第３の図である。
【符号の説明】
１  ＣＰＵ
２  ＲＯＭ
３  ＲＡＭ
４  操作部
５  表示部
６  アンテナ
７  通信処理部
８  音声処理部
９  マイク
１０、１２  スピーカ
１１  着信音発生部
１３  制御部
２１  フォルダ開閉検出部
２２  タイマ
２３  制御信号出力部
【図１】
0004319360.tif 000002
【図２】
0004319360.tif 000003
【図３】
0004319360.tif 000004
【図４】
0004319360.tif 000005
【図５】
0004319360.tif 000006
【図６】
0004319360.tif 000007